(57)【要約】【課題】  光ピックアップのトラバース方向の動力源として直流モータを使用した光ディスク記録再生装置においても、単独でレーベル面へ記録することができる光ディスクを提供することを目的とする。【解決手段】  光ピックアップの照射光により物理構造が変化して可視情報を記録可能な可視情報記録層２０７と、半径位置情報記録部２０１を設けたので、光ピックアップのトラバース方向の動力源として直流モータを使用した光ディスク記録再生装置においても、半径位置情報記録部２０１の内容を読み取って単独でレーベル面へ記録できる。【選択図】  図１
2005317057.tif 000002
【特許請求の範囲】
【請求項１】
デジタル情報の記録または再生が可能なデジタル情報記録面を有する光ディスクであって、
デジタル情報記録面とは反対側の面に形成され光ピックアップの照射光により物理構造が変化して可視情報を記録可能な可視情報記録層と、
前記デジタル情報記録面とは反対側の面に形成され光ディスクを半径位置の一定範囲毎に分割して、前記分割された半径位置の一定範囲毎に、それぞれ異なる半径位置情報を前記可視情報記録層とは異なる反射率で記録した半径位置情報記録部と
を備えた光ディスク。
【請求項２】
前記半径位置情報記録部は、一定回転角分の放射線状のストライプパターンの組み合わせにより、光ディスク１回転あたり１箇所に半径方向に直線的に並んで記録した請求項１記載の光ディスク。
【請求項３】
情報の記録または再生が可能な情報記録面を有する光ディスクであって、
情報記録面とは反対側の面に形成され光ピックアップの照射光により物理構造が変化して可視情報を記録可能な可視情報記録層と、
情報記録面とは反対側の面に形成され光ディスクを半径位置の一定範囲毎に分割して前記分割された一定範囲毎に、それぞれ異なる半径位置情報を前記可視情報記録層とは異なる反射率で記録した半径位置情報記録部と、
半径位置情報記録部の前記半径方向に隣接する半径位置情報の間に内周側の半径位置情報と外周側の半径位置情報を区別する半径位置情報分割領域と
を備えた光ディスク。
【請求項４】
前記可視情報記録層の下層に前記可視情報記録層よりも反射率の高い反射層を備え、前記半径位置情報記録部のストライプパターンは、前記可視情報記録層の欠陥により形成した
請求項１または請求項３記載の光ディスク。
【請求項５】
前記可視情報記録層の下層に前記可視情報記録層よりも反射率の低い低反射層を備え、前記半径位置情報記録領域のストライプパターンは、前記可視情報記録層の欠陥により形成した
請求項１または請求項３記載の光ディスク。
【請求項６】
前記半径位置情報記録領域のストライプパターンは、前記可視情報記録層の上に形成された高反射率の領域により形成した
請求項１または請求項３記載の光ディスク。
【請求項７】
前記半径位置情報記録領域のストライプパターンは、前記可視情報記録層の上に形成された低反射率の領域により形成した
請求項１または請求項３記載の光ディスク。
【請求項８】
前記可視情報記録層の下層に前記可視情報記録層よりも反射率の高い反射層を備え、前記半径位置情報分割領域は、前記可視情報記録層の欠陥により形成した
請求項３記載の光ディスク。
【請求項９】
前記可視情報記録層の下層に前記可視情報記録層よりも反射率の低い低反射層を備え、前記半径位置情報分割領域は、前記可視情報記録層の欠陥により形成した
請求項３記載の光ディスク。
【請求項１０】
前記半径位置情報分割領域は、前記可視情報記録層の上に形成された高反射率の領域により形成した
請求項３記載の光ディスク。
【請求項１１】
前記半径位置情報分割領域は、前記可視情報記録層の上に形成された低反射率の領域により形成した
請求項３記載の光ディスク。
【請求項１２】
前記半径位置情報分割領域は、前記ストライプパターンの存在しない領域により形成した
請求項３記載の光ディスク。
【請求項１３】
情報トラック上に情報の記録または再生が可能な情報層を有する情報ディスクの情報面とは反対側の面に、
一定レベル以上の照射光により物理構造が変化して可視情報を記録可能な可視情報記録層と、
前記情報ディスクを半径位置の一定範囲毎に分割して、前記分割された半径位置の一定範囲毎に、それぞれ異なる半径位置情報を前記可視情報記録層とは異なる反射率で一定回転角分の放射線状のストライプパターンの組み合わせにより予め記録した半径位置情報記録部と
を備え、前記ストライプパターンは、固定長固定パターンのヘッダ部と、固定長の半径位置情報本体とからなり、前記半径位置情報本体部が前記ヘッダ部に挟まれる形で交互に連続して複数回記録されており、
前記半径位置情報記録領域の情報を読み取ることにより光ピックアップの半径位置制御を行って可視情報を記録することが可能で、有効な前記ヘッダ部の情報に挟まれた半径位置情報本体部の半径位置情報のみを有効な半径位置情報として採用することにより偏心などにより半径位置情報間の横断が発生した場合の誤検出を防止する
ことが可能な光ディスク。
【請求項１４】
前記半径位置情報本体部のストライプパターンは、
前記固定長固定パターンのヘッダ部の前後に接続されたとき、前記半径位置情報本体部を含むどのストライプパターンも、前記固定長固定パターンのヘッダ情報と一致するストライプパターンとならない様に変調されている
ことを特徴とする請求項１３記載の光ディスク。
【請求項１５】
前記半径位置情報本体部のストライプパターンは、
前記固定長固定パターンのヘッダ部の長さよりも短く、前記半径位置情報本体部のストライプパターンは、前記固定長固定パターンのヘッダ部の前後に接続されたとき、前記半径位置情報本体部を含むどのストライプパターンも、前記固定長固定パターンのヘッダ情報と一致するストライプパターンとならない様に
前記ヘッダ部の固定長固定パターンを選択した
請求項１３記載の光ディスク。
【請求項１６】
請求項１記載の光ディスクがその可視情報記録面を光ピックアップに対向するようにスピンドルモータにセットされ、前記光ピックアップを半径方向に移動させながら可視情報記録層に可視情報を書き込む光ディスク記録再生装置であって、
前記光ディスクの可視情報記録面に形成された半径位置情報記録部を前記光ピックアップで読み取って光ディスクの半径位置における現在位置を検出する半径位置情報検出部と、
可視情報記録層に書き込むべき可視情報のデータを前記検出した現在位置に応じて読み出して前記光ピックアップから前記可視情報記録層に照射されるレーザ光パワーを制御して可視情報を書き込む可視情報記録制御部と
を備えた光ディスク記録再生装置。
【請求項１７】
可視情報記録制御部を、
前記光ディスクの可視情報記録面に形成された半径位置情報記録部を前記光ピックアップが読み取ったタイミングを起点として前記光ピックアップから前記可視情報記録層に照射されるレーザ光パワーを制御して可視情報を書き込むよう構成した
請求項１６記載の光ディスク記録再生装置。
【請求項１８】
請求項３記載の光ディスクがその可視情報記録面を光ピックアップに対向するようにスピンドルモータにセットされ、前記光ピックアップを半径方向に移動させながら可視情報記録層に可視情報を書き込む光ディスク記録再生装置であって、
光ピックアップが読み取った内容より前記半径位置情報分割領域を通過したことを検出する半径位置情報分割領域通過検出部と、
半径位置情報分割領域通過検出部が前記半径位置情報分割領域を通過していないときの内容より光ディスクの半径位置における光ピックアップの現在位置を検出する半径位置情報検出部と、
可視情報記録層に書き込むべき可視情報のデータを前記検出した現在位置に応じて読み出して前記光ピックアップから前記可視情報記録層に照射されるレーザ光パワーを制御して可視情報を書き込む可視情報記録制御部と
を備えた光ディスク記録再生装置。
【請求項１９】
請求項１３記載の光ディスクがその可視情報記録面を光ピックアップに対向するようにスピンドルモータにセットされ、前記光ピックアップを半径方向に移動させながら可視情報記録層に可視情報を書き込む光ディスク記録再生装置であって、
光ピックアップが前記半径位置情報記録部を読み取った内容より前記半径位置情報分割領域を通過したことを検出する半径位置情報分割領域通過検出部と、
半径位置情報分割領域通過検出部が前記半径位置情報分割領域を通過していないときの内容より光ディスクの半径位置における光ピックアップの現在位置を検出する半径位置情報検出部と、
前記半径位置情報検出部の出力より固定長固定パターンのヘッダ部を検出するヘッダ検出部と、
前記半径位置情報検出部の読み取り結果と前記半径位置情報分割領域通過検出部の検出結果より、前記半径位置情報分割領域を通過していないときの前記固定長固定パターンのヘッダ部を検出して半径位置情報を検出する半径位置情報検出部と、
可視情報記録層に書き込むべき可視情報のデータを前記検出した現在位置に応じて読み出して前記光ピックアップから前記可視情報記録層に照射されるレーザ光パワーを制御して可視情報を書き込む可視情報記録制御部と
を備えた光ディスク記録再生装置。
【請求項２０】
前記回転角検出部の検出情報を更に等分する精回転角検出部を備え、可視画像記録制御の回転角情報として前記精回転角検出部の検出結果を用いるよう構成した
請求項１６，１８または請求項１９記載の光ディスク記録再生装置。
【請求項２１】
前記半径位置情報検出部は、
連続して複数回記録されているスライプパターンの組み合わせのうち、前記半径位置情報分割領域を通過していないときの前記固定長固定パターンのヘッダ部のストライプパターンを検出して、有効な半径位置情報を複数検出し、前記半径位置情報分割領域通過検出部の検出結果より前記連続して複数回記録されているストライプパターンの前記半径位置情報分割領域通過の有無と、前記半径位置情報分割領域通過の位置と、検出した有効な複数の半径位置情報より、前記一定範囲毎に分割された半径位置情報のストライプパターン中の位置情報を更に得、
前記可視情報記録制御部を、
光ディスクの回転速度を一定としたうえで、光ディスクの回転角と半径位置検出情報と、前記一定範囲毎に分割された半径位置情報のストライプパターン中の位置情報を基に、前記光ピックアップを光ディスクの径方向に移動させながら前記光ピックアップのレーザ光の強度を制御して可視画像情報を記録するよう構成した
請求項１９記載の光ディスク記録再生装置。
【請求項２２】
請求項１記載の光ディスクがその可視情報記録面を光ピックアップに対向するようにスピンドルモータにセットされ、前記光ピックアップを半径方向に移動させながら可視情報記録層に可視情報を書き込むに際し、
前記光ディスクの可視情報記録面に形成された半径位置情報記録部を前記光ピックアップで読み取って光ディスクの半径位置における現在位置を検出し、
可視情報記録層に書き込むべき可視情報のデータを前記検出した現在位置に応じて読み出して前記光ピックアップから前記可視情報記録層に照射されるレーザ光パワーを制御して可視情報を書き込む
光ディスク記録方法。
【請求項２３】
前記光ディスクの可視情報記録面に形成された半径位置情報記録部を前記光ピックアップが読み取ったタイミングを起点として前記光ピックアップから前記可視情報記録層に照射されるレーザ光パワーを制御して可視情報を書き込む
請求項２２記載の光ディスク記録方法。
【請求項２４】
請求項３記載の光ディスクがその可視情報記録面を光ピックアップに対向するようにスピンドルモータにセットされ、前記光ピックアップを半径方向に移動させながら可視情報記録層に可視情報を書き込むに際し、
光ピックアップが読み取った内容より前記半径位置情報分割領域を通過したか検出し、
前記半径位置情報分割領域を通過していないときの内容より光ディスクの半径位置における光ピックアップの現在位置を検出し、
可視情報記録層に書き込むべき可視情報のデータを前記検出した現在位置に応じて読み出して前記光ピックアップから前記可視情報記録層に照射されるレーザ光パワーを制御して可視情報を書き込む
光ディスク記録方法。
【請求項２５】
請求項１３記載の光ディスクがその可視情報記録面を光ピックアップに対向するようにスピンドルモータにセットされ、前記光ピックアップを半径方向に移動させながら可視情報記録層に可視情報を書き込むに際し、
光ピックアップが前記半径位置情報記録部を読み取った内容より前記半径位置情報分割領域を通過したか検出し、
前記半径位置情報分割領域を通過していないときの内容より光ディスクの半径位置における光ピックアップの現在位置を検出し、
前記半径位置情報検出部の出力より固定長固定パターンのヘッダ部を検出し、
前記半径位置情報検出部の読み取り結果と前記半径位置情報分割領域通過検出の検出結果より、前記半径位置情報分割領域を通過していないときの前記固定長固定パターンのヘッダ部を検出して半径位置情報を検出し、
可視情報記録層に書き込むべき可視情報のデータを前記検出した現在位置に応じて読み出して前記光ピックアップから前記可視情報記録層に照射されるレーザ光パワーを制御して可視情報を書き込む
光ディスク記録方法。
【請求項２６】
前記回転角検出部の検出情報を更に等分し、これを可視画像記録制御の回転角情報として前記精回転角検出部の検出結果を用いる
請求項２２，２４または請求項２５記載の光ディスク記録方法。
【請求項２７】
連続して複数回記録されているスライプパターンの組み合わせのうち、前記半径位置情報分割領域を通過していないときの前記固定長固定パターンのヘッダ部のストライプパターンを検出して、有効な半径位置情報を複数検出し、前記半径位置情報分割領域通過検出部の検出結果より前記連続して複数回記録されているストライプパターンの前記半径位置情報分割領域通過の有無と、前記半径位置情報分割領域通過の位置と、検出した有効な複数の半径位置情報より、前記一定範囲毎に分割された半径位置情報のストライプパターン中の位置情報を更に得、
光ディスクの回転速度を一定としたうえで、光ディスクの回転角と半径位置検出情報と、前記一定範囲毎に分割された半径位置情報のストライプパターン中の位置情報を基に、前記光ピックアップを光ディスクの径方向に移動させながら前記光ピックアップのレーザ光の強度を制御して可視画像情報を記録する
請求項２５記載の光ディスク記録方法。
【発明の詳細な説明】
【技術分野】
【０００１】
本発明は光ディスク記録再生装置のレーザ光によって光ディスクの情報記録面とは反対側の面（一般にレーベル面と呼ばれている）に、文字や画像などの可視情報を形成できる光ディスクに関するものである。
【背景技術】
【０００２】
この種の光ディスクは（特許文献１）に記載されている。これは、デジタル情報がピットで記録される情報記録面とは反対側のレーベル面に、感熱で発色する性質の感熱層が形成されており、レーベル面への前記可視情報の書き込みに際しては、この光ディスクのレーベル面が光ディスク記録再生装置の光ピックアップと対向するように光ディスク記録再生装置のスピンドルモータにセットし、光ディスクを角速度一定（ＣＡＶ制御）で回転駆動しながら、目的の可視情報の画像をこの回転に同期して光ピックアップに供給する。
【０００３】
光ピックアップにはレーザーダイオードが内蔵されており、光ディスクの情報記録面にアクセスしてデジタル情報を記録する際の前記レーザーダイオードは、前記情報記録面に記録済みのデジタル情報を読み出す場合に比べて大きい光パワーのレーザ光を出射できるように出力パワーが制御される。前記レーベル面への可視情報の書き込みの際にも前記情報記録面へのデジタル情報の書き込み時と同様の光パワーを変調して照射し、前記感熱層を発色させて目的の画像を記録している。
【０００４】
なお、前記レーベル面への画像の書き込みの際には、光ピックアップを光ディスクの径方向（トラバース方向）に動かして前記レーベル面に目的の画像を展開して記録される。光ピックアップの従来のトラバース方向の制御は、（特許文献１）ではステッピングモータに送る駆動パルス数によって、時々の径方向の位置が決定されている。
【０００５】
この構成によると、光ディスク記録再生装置とは別に用意されたプリンタ装置を使用しなくても、前記レーベル面へ画像を書き込むことができる。
従来の光ディスク記録再生装置における光ピックアップのトラバース方向の駆動については、（特許文献１）の前記ステッピングモータに代わって（特許文献２）に見られるように直流モータを使用したものがある。
【０００６】
トラバース方向の動力源として直流モータを使用した光ディスク記録再生装置では、前記情報記録面へのデジタル情報の書き込み時には、光ディスクの記録面に記録されたトラック情報を光ピックアップで読み取り、横断したトラック数をカウントしながら目標値のトラック情報を検出するまで直流モータに通電して光ピックアップを目的位置に移動制御している。
【特許文献１】特開２００３−２０３３４８公報
【特許文献２】特開２０００−３３９７１９公報
【発明の開示】
【発明が解決しようとする課題】
【０００７】
（特許文献１）の前記ステッピングモータを用いた装置では、半径位置制御をステッピングモータ自身の送り量で制御可能なのに対して、光ピックアップのトラバース方向の動力源として直流モータを使用した光ディスク記録再生装置において、別に用意されたプリンタ装置を使用せずに光ディスクの前記レーベル面へ画像を書き込もうとして、上記の光ディスクのレーベル面が光ピックアップと対向するようにセットしても、直流モータでは正確な移動量を知ることが出来ず、光ピックアップのトラバース方向の駆動制御に必要とされるトラック情報もレーベル面にはトラックが形成されていないので得ることができず、光ディスク記録再生装置の単独によるレーベル面への記録ができないのが現状である。
【０００８】
本発明は、光ピックアップのトラバース方向の動力源として直流モータを使用した光ディスク記録再生装置においても、単独でレーベル面へ記録することができる光ディスクを提供することを目的とする。
【課題を解決するための手段】
【０００９】
本発明の請求項１記載の光ディスクは、デジタル情報の記録または再生が可能なデジタル情報記録面を有する光ディスクであって、デジタル情報記録面とは反対側の面に形成され光ピックアップの照射光により物理構造が変化して可視情報を記録可能な可視情報記録層と、前記デジタル情報記録面とは反対側の面に形成され光ディスクを半径位置の一定範囲毎に分割して、前記分割された半径位置の一定範囲毎に、それぞれ異なる半径位置情報を前記可視情報記録層とは異なる反射率で記録した半径位置情報記録部とを備えたことを特徴とする。
【００１０】
本発明の請求項２記載の光ディスクは、請求項１において、前記半径位置情報記録部は、一定回転角分の放射線状のストライプパターンの組み合わせにより、光ディスク１回転あたり１箇所に半径方向に直線的に並んで記録したことを特徴とする。
【００１１】
本発明の請求項３記載の光ディスクは、情報の記録または再生が可能な情報記録面を有する光ディスクであって、情報記録面とは反対側の面に形成され光ピックアップの照射光により物理構造が変化して可視情報を記録可能な可視情報記録層と、情報記録面とは反対側の面に形成され光ディスクを半径位置の一定範囲毎に分割して前記分割された一定範囲毎に、それぞれ異なる半径位置情報を前記可視情報記録層とは異なる反射率で記録した半径位置情報記録部と、半径位置情報記録部の前記半径方向に隣接する半径位置情報の間に内周側の半径位置情報と外周側の半径位置情報を区別する半径位置情報分割領域とを備えたことを特徴とする。
【００１２】
本発明の請求項４記載の光ディスクは、請求項１または請求項３において、前記可視情報記録層の下層に前記可視情報記録層よりも反射率の高い反射層を備え、前記半径位置情報記録部のストライプパターンは、前記可視情報記録層の欠陥により形成したことを特徴とする。
【００１３】
本発明の請求項５記載の光ディスクは、請求項１または請求項３において、前記可視情報記録層の下層に前記可視情報記録層よりも反射率の低い低反射層を備え、前記半径位置情報記録領域のストライプパターンは、前記可視情報記録層の欠陥により形成したことを特徴とする。
【００１４】
本発明の請求項６記載の光ディスクは、請求項１または請求項３において、前記半径位置情報記録領域のストライプパターンは、前記可視情報記録層の上に形成された高反射率の領域により形成したことを特徴とする。
【００１５】
本発明の請求項７記載の光ディスクは、請求項１または請求項３において、前記半径位置情報記録領域のストライプパターンは、前記可視情報記録層の上に形成された低反射率の領域により形成したことを特徴とする。
【００１６】
本発明の請求項８記載の光ディスクは、請求項３において、前記可視情報記録層の下層に前記可視情報記録層よりも反射率の高い反射層を備え、前記半径位置情報分割領域は、前記可視情報記録層の欠陥により形成したことを特徴とする。
【００１７】
本発明の請求項９記載の光ディスクは、請求項３において、前記可視情報記録層の下層に前記可視情報記録層よりも反射率の低い低反射層を備え、前記半径位置情報分割領域は、前記可視情報記録層の欠陥により形成したことを特徴とする。
【００１８】
本発明の請求項１０記載の光ディスクは、請求項３において、前記半径位置情報分割領域は、前記可視情報記録層の上に形成された高反射率の領域により形成したことを特徴とする。
【００１９】
本発明の請求項１１記載の光ディスクは、請求項３において、前記半径位置情報分割領域は、前記可視情報記録層の上に形成された低反射率の領域により形成したことを特徴とする。
【００２０】
本発明の請求項１２記載の光ディスクは、請求項３において、前記半径位置情報分割領域は、前記ストライプパターンの存在しない領域により形成したことを特徴とする。
本発明の請求項１３記載の光ディスクは、情報トラック上に情報の記録または再生が可能な情報層を有する情報ディスクの情報面とは反対側の面に、一定レベル以上の照射光により物理構造が変化して可視情報を記録可能な可視情報記録層と、前記情報ディスクを半径位置の一定範囲毎に分割して、前記分割された半径位置の一定範囲毎に、それぞれ異なる半径位置情報を前記可視情報記録層とは異なる反射率で一定回転角分の放射線状のストライプパターンの組み合わせにより予め記録した半径位置情報記録部とを備え、前記ストライプパターンは、固定長固定パターンのヘッダ部と、固定長の半径位置情報本体とからなり、前記半径位置情報本体部が前記ヘッダ部に挟まれる形で交互に連続して複数回記録されており、前記半径位置情報記録領域の情報を読み取ることにより光ピックアップの半径位置制御を行って可視情報を記録することが可能で、有効な前記ヘッダ部の情報に挟まれた半径位置情報本体部の半径位置情報のみを有効な半径位置情報として採用することにより偏心などにより半径位置情報間の横断が発生した場合の誤検出を防止することを特徴とする。
【００２１】
本発明の請求項１４記載の光ディスクは、請求項１３において、前記半径位置情報本体部のストライプパターンは、前記固定長固定パターンのヘッダ部の前後に接続されたとき、前記半径位置情報本体部を含むどのストライプパターンも、前記固定長固定パターンのヘッダ情報と一致するストライプパターンとならない様に変調されていることを特徴とする。
【００２２】
本発明の請求項１５記載の光ディスクは、請求項１３において、前記半径位置情報本体部のストライプパターンは、前記固定長固定パターンのヘッダ部の長さよりも短く、前記半径位置情報本体部のストライプパターンは、前記固定長固定パターンのヘッダ部の前後に接続されたとき、前記半径位置情報本体部を含むどのストライプパターンも、前記固定長固定パターンのヘッダ情報と一致するストライプパターンとならない様に前記ヘッダ部の固定長固定パターンを選択したことを特徴とする。
【００２３】
本発明の請求項１６記載の光ディスク記録再生装置は、請求項１記載の光ディスクがその可視情報記録面を光ピックアップに対向するようにスピンドルモータにセットされ、前記光ピックアップを半径方向に移動させながら可視情報記録層に可視情報を書き込む光ディスク記録再生装置であって、前記光ディスクの可視情報記録面に形成された半径位置情報記録部を前記光ピックアップで読み取って光ディスクの半径位置における現在位置を検出する半径位置情報検出部と、可視情報記録層に書き込むべき可視情報のデータを前記検出した現在位置に応じて読み出して前記光ピックアップから前記可視情報記録層に照射されるレーザ光パワーを制御して可視情報を書き込む可視情報記録制御部とを備えたことを特徴とする。
【００２４】
本発明の請求項１７記載の光ディスク記録再生装置は、請求項１６において、可視情報記録制御部を、前記光ディスクの可視情報記録面に形成された半径位置情報記録部を前記光ピックアップが読み取ったタイミングを起点として前記光ピックアップから前記可視情報記録層に照射されるレーザ光パワーを制御して可視情報を書き込むよう構成したことを特徴とする。
【００２５】
本発明の請求項１８記載の光ディスク記録再生装置は、請求項３記載の光ディスクがその可視情報記録面を光ピックアップに対向するようにスピンドルモータにセットされ、前記光ピックアップを半径方向に移動させながら可視情報記録層に可視情報を書き込む光ディスク記録再生装置であって、光ピックアップが読み取った内容より前記半径位置情報分割領域を通過したことを検出する半径位置情報分割領域通過検出部と、半径位置情報分割領域通過検出部が前記半径位置情報分割領域を通過していないときの内容より光ディスクの半径位置における光ピックアップの現在位置を検出する半径位置情報検出部と、可視情報記録層に書き込むべき可視情報のデータを前記検出した現在位置に応じて読み出して前記光ピックアップから前記可視情報記録層に照射されるレーザ光パワーを制御して可視情報を書き込む可視情報記録制御部とを備えたことを特徴とする。
【００２６】
本発明の請求項１９記載の光ディスク記録再生装置は、請求項１３記載の光ディスクがその可視情報記録面を光ピックアップに対向するようにスピンドルモータにセットされ、前記光ピックアップを半径方向に移動させながら可視情報記録層に可視情報を書き込む光ディスク記録再生装置であって、光ピックアップが前記半径位置情報記録部を読み取った内容より前記半径位置情報分割領域を通過したことを検出する半径位置情報分割領域通過検出部と、半径位置情報分割領域通過検出部が前記半径位置情報分割領域を通過していないときの内容より光ディスクの半径位置における光ピックアップの現在位置を検出する半径位置情報検出部と、前記半径位置情報検出部の出力より固定長固定パターンのヘッダ部を検出するヘッダ検出部と、前記半径位置情報検出部の読み取り結果と前記半径位置情報分割領域通過検出部の検出結果より、前記半径位置情報分割領域を通過していないときの前記固定長固定パターンのヘッダ部を検出して半径位置情報を検出する半径位置情報検出部と、可視情報記録層に書き込むべき可視情報のデータを前記検出した現在位置に応じて読み出して前記光ピックアップから前記可視情報記録層に照射されるレーザ光パワーを制御して可視情報を書き込む可視情報記録制御部とを備えたことを特徴とする。
【００２７】
本発明の請求項２０記載の光ディスク記録再生装置は、請求項１６，１８または請求項１９において、前記回転角検出部の検出情報を更に等分する精回転角検出部を備え、可視画像記録制御の回転角情報として前記精回転角検出部の検出結果を用いるよう構成したことを特徴とする。
【００２８】
本発明の請求項２１記載の光ディスク記録再生装置は、請求項１９において、前記半径位置情報検出部は、続して複数回記録されているスライプパターンの組み合わせのうち、前記半径位置情報分割領域を通過していないときの前記固定長固定パターンのヘッダ部のストライプパターンを検出して、有効な半径位置情報を複数検出し、前記半径位置情報分割領域通過検出部の検出結果より前記連続して複数回記録されているストライプパターンの前記半径位置情報分割領域通過の有無と、前記半径位置情報分割領域通過の位置と、検出した有効な複数の半径位置情報より、前記一定範囲毎に分割された半径位置情報のストライプパターン中の位置情報を更に得、前記可視情報記録制御部を、光ディスクの回転速度を一定としたうえで、光ディスクの回転角と半径位置検出情報と、前記一定範囲毎に分割された半径位置情報のストライプパターン中の位置情報を基に、前記光ピックアップを光ディスクの径方向に移動させながら前記光ピックアップのレーザ光の強度を制御して可視画像情報を記録するよう構成したことを特徴とする。
【発明の効果】
【００２９】
この本発明の光デイスクによると、光ピックアップの照射光により物理構造が変化して可視情報を記録可能な可視情報記録層と、半径位置情報記録部を設けたので、光ピックアップのトラバース方向の動力源として直流モータを使用した光ディスク記録再生装置においても、単独でレーベル面へ記録することができる。
【発明を実施するための最良の形態】
【００３０】
以下、本発明の各実施の形態を図１〜図１２に基づいて説明する。
（実施の形態１）
図１（ａ）（ｂ）（ｃ）は本発明の光ディスク１０１を示す。ここではＣＤ−ＲＯＭ規格の光ディスクに適用した例を説明する。
【００３１】
光ディスク１０１は、図１（ｂ）に示すように反射層２０６を境に記録層２０５と透明基板２０４とでデジタル情報記録面２０３が形成されている。前記反射層２０６を境にデジタル情報記録面２０３とは反対側には、可視情報記録層２０７と半径位置情報記録部２０１を有する可視情報記録面２０２が形成されている。
【００３２】
この光ディスク１０１の使用に際しては、図２に示す光ディスク記録再生装置の光ピックアップ１０２に、デジタル情報記録面２０３または可視情報記録面２０２が対向するように光ディスク１０１が、スピンドルモータ１０６にセットされる。
【００３３】
ＣＤ−ＲＯＭ規格の光ディスク１０１の場合の記録層２０５には、螺旋状にピットが形成されており、光ディスク記録再生装置ではこのピットを光ピックアップ１０２からレーザ光を照射してトレースして再生信号を得る。
【００３４】
可視情報記録層２０７は、感熱によって物理変化を起こすことにより発色する感熱層で構成されており、光ピックアップ１０２からの一定レベル以上のレーザー光により物理変化を起こさせて可視情報を記録する。この可視情報記録層２０７にはトラックは形成されておらず、可視情報記録層２０７を反射層２０６に単に重ねただけの構造となっている。
【００３５】
半径位置情報記録部２０１は、光ディスク１０１の半径位置を図１（ｃ）に示した拡大模式図のように、内終端から外周端に向かって第０領域Ａｄ０，第１領域Ａｄ１，第２領域Ａｄ２，第３領域Ａｄ３，・・・・の複数の領域に分割して、領域毎に異なる放射線状の一定回転角分のストライプパターンを半径方向に直線的に並べて、各領域の径方向の位置情報が記録されている。
【００３６】
なお、図１（ｃ）ではパターンデータとしてのストライプパターンは平行であるように図示されているが、これは非常に短い領域のストライプパターンを図示するために模式的に示したものであり、実際には光ディスク１０１の外周へ近づくほどストライプパターンの間隔が大きくなる放射線状に一定回転角分が記録されている。ストライプパターンは、図１（ｂ）に示す通り、可視情報記録層２０７の欠陥により構成されており、下層には反射層２０６があるので、可視情報記録層２０７が欠陥しているストライプパターンの部分だけ反射率が可視情報記録層２０７よりも高くなる構造となっている。
【００３７】
光ディスク１０１のデジタル情報記録面２０３にアクセスしてデジタル情報を読み書きできる図２に示した光ディスク記録再生装置１１２は、スピンドルモータ１０６にセットされて回転駆動される前記光ディスク１０１にアクセスして記録再生を実施する前記光ピックアップ１０２を有している。
【００３８】
一般的なこの光ピックアップ１０２は、読み書きに必要なレーザ光を出射する半導体レーザーダイオード１１３と、この半導体レーザーダイオード１１３からのレーザ光を光ディスク１０１のデジタル情報記録面２０３上、または光ディスク１０１の可視情報記録面２０２上で合焦点させるように対物レンズ１１４をフォーカスアクチュエータコイルにより移動させるフォーカス駆動系１１５と、記録層２０５に螺旋状に形成されたピットをトレースするように対物レンズ１１４をトラッキングアクチュエータコイルにより移動させて微調整するトラッキング駆動系１１６と、デジタル情報記録面２０２からの反射光を検出するフォトセンサ１１７を内蔵している。
【００３９】
この光ピックアップ１０２は、直流モータ１１８を動力源として光ディスク１０１の径方向にトラバース制御するトラバース駆動回路１０５によって位置変更できるように構成されている。
【００４０】
詳しくは、フォトセンサ１１７よりの出力再生信号は、再生信号処理回路１０８で処理されて、種々のサーボエラー信号、再生信号（ＲＦ）が生成され信号処理回路１０９に送られる。種々のエラー信号のうち、フォーカスエラー信号は信号処理回路１０９で処理されて、これをもとにフォーカス駆動信号を生成し、フォーカス駆動回路１０３を介してフォーカス駆動系１１５を駆動して、フォーカス制御を行う。
【００４１】
１０７は光ディスク１０１を回転させるスピンドルモータ１０６のスピンドルドライバで、この通常のスピンドルドライバ１０７は、スピンドルモータ１０６内のホール素子の出力を元に、スピンドルモータ１０６の回転を制御する。また、ホール素子の出力を加工して１回転をＮ分割した領域毎にパルスを出力するＦＧ信号出力を備え、このＦＧ信号をもとに、１回転をＮ分割した領域毎に回転角を検出するとともに、回転数を信号処理回路１０９で監視して一定回転数となるよう制御を行う。光ピックアップ１０２から射出されるレーザ光の半径方向位置は、光ピックアップ１０２全体を半径方向に駆動するトラバース駆動回路１０５と、トラッキング駆動系１１６を介して対物レンズ１１４を光ディスク１０１の半径方向に駆動して微少な半径位置を制御するトラッキング駆動回路１０４とで制御されている。デジタル情報記録面２０３の再生時には、デジタル情報記録面２０３に形成された情報トラックにレーザ光を追従させて情報を再生するために、再生信号より再生信号処理回路１０８にて生成されたトラッキングエラー信号により信号処理回路１０９がトラッキング駆動回路１０４を制御して、半径方向のレーザ光の微少位置制御を行うと共に、トラバース駆動回路１０５を制御して光ピックアップ１０２全体の半径方向の移動制御を行う。
【００４２】
ＣＰＵ１１０は、再生信号処理回路１０８や信号処理回路１０９の制御や調整動作、光ディスク記録再生装置１１２の様々な制御を行う。１１１はホストコンピュータで、前記可視情報記録面２０２へ記録するための可視画像情報を記憶し、光ディスク記録再生装置１１２に可視画像情報を順次送信して、次のようにして記録を行わせる。
【００４３】
可視情報の書き込みに際しては、可視情報記録面２０２が光ピックアップ１０２に対向するように光ディスク１０１がスピンドルモータ１０６にセットされる。この状態で光ディスク記録再生装置１１２が、光ディスク１０１の半径位置情報、回転位置情報を検出して、可視画像記録面上の前記光ピックアップの現在位置を特定する。
【００４４】
具体的には、再生状態の光ピックアップ１０２の読み取り位置を、可視情報記録面２０２の半径位置情報記録部２０１が通過すると、通過した光ディスク１０１の半径位置に応じて図３（ａ）のように記録されているストライプパターンを光ピックアップ１０２が読み取る。
【００４５】
なお、図３（ａ）のストライプパターンは便宜上塗りつぶしで図示しているが、先に説明したとおり、本実施の形態の例では周辺の可視情報記録層２０７の部分に対して可視情報記録層２０７の欠陥が設けられており、下層の反射層２０６が露出して高反射率となっている。
【００４６】
図３（ｂ）は半径位置情報記録部２０１を通過したときのＡＳ信号の波形である。ＡＳ信号は、光ディスク記録再生装置では前記フォトセンサ１１７の受光部が一般的に４分割されており、この４分割された各受光部の出力信号の全加算信号であり、反射率に比例した電圧が出力されるので、ストライプパターンの通過時にはＡＳ信号が高い電圧を示す。
【００４７】
図３（ｃ）はＡＳ信号を一定電圧レベルでスライスして２値化したパターンデータ検出信号である。通常、ＡＳ信号は図２の再生信号処理回路１０８で生成され、パターンデータ検出信号は、再生信号処理回路１０８で生成して信号処理回路１０９に送る場合と、信号処理回路１０９に送られたＡＳ信号をもとに信号処理回路内部１０９で生成する場合などが考えられる。
【００４８】
そして、生成されたパターンデータ検出信号を信号処理回路１０９にてデコードして半径位置情報を生成することによって、トラックのない可視情報記録面２０２上の半径位置情報を得ることができる。この実施の形態では、光ピックアップ１０２のフォトセンサ１１７の出力信号を処理する再生信号処理回路１０８と信号処理回路１０９とで、半径位置情報記録部２０１を光ピックアップ１０２で読み取って光ディスクの半径位置における現在位置を検出する半径位置情報検出部が構成されている。
【００４９】
光ディスク１０１の回転位置情報は、回転角検出部として前記スピンドルドライバ１０７より出力されるＦＧパルス信号により１回転をＮ分割した領域毎に回転位置情報を得る。回転数一定で制御を行っている際には、回転角検出部から得られた回転位置情報をもとに、更にパルス間を必要分解能分だけ時間分割する精回転角検出部（図示せず）を設けてより精密な回転位置情報を得ている。回転位置の絶対回転位置情報は、常にＦＧパルスをモニタし続けることで、カウント開始点を基準にして絶対回転位置を決定することが可能であるし、前記した半径位置情報を検出した回転位置を基準として絶対回転位置情報としてもよい。
【００５０】
このようにして得られた、半径位置情報と回転位置情報により光ディスク１０１の可視情報記録面２０２は、扇状の各領域に位置情報が割り振られた領域に分割される。
次に、光ディスク記録再生装置１１２が可視画像を記録する動作について説明する。
【００５１】
ホストコンピュータ１１１から送られてきた画像データを、ＣＰＵ１１０はＣＰＵ１１０内、もしくは信号処理回路内のバッファメモリ（図示せず）に一旦蓄積する。画像データを全て受け取り終わると、あるいは予め設定した一定量の画像データを受け取ったところで可視画像の記録を開始するが、画像データを受け取り終わっていなければ、可視画像の記録中もホストコンピュータ１１１からの画像データの受信を続ける。
【００５２】
ＣＰＵ１１０は、信号処理回路１０９に命令を送ってスピンドルドライバ１０７を制御してスピンドルモータ１０６を起動して回転速度一定（ＣＡＶ）で回転させ、光ピックアップ１０２をホストコンピュータ１１１から指定された座標の半径位置に移動させる。
【００５３】
そして信号処理回１０９は、回転位置情報をもとに前記バッファメモリに記憶されている該当する半径位置の画像情報に応じて、光ピックアップ１０２の半導体レーザーダイオード１１３のレーザ光のパワーを制御して記録パワーと再生パワーを適宜切り替えて照射し、可視画像の記録を行う。この実施の形態では、ＣＰＵ１１０と信号処理回路１０９とで、可視情報記録層２０７に書き込むべき可視情報のデータを現在位置に応じて読み出して光ピックアップ１０２から可視情報記録層２０７に照射されるレーザ光パワーを制御して可視情報を書き込む可視情報記録制御部が構成されている。
【００５４】
また、信号処理回路１０９は光ピックアップ１０２が読み取ったタイミングを起点として光ピックアップ１０２から可視情報記録層２０７に照射されるレーザ光パワーを制御して可視情報を書き込むよう構成されている。
【００５５】
このように、直流モータ１１８によって光ピックアップ１０２を光ディスク１０１の径方向にトラバース制御する光ディスク記録再生装置１１２であっても、光ディスク１０１のレーベル面となる可視情報記録面２０２が光ピックアップ１０２と対向するようにセットすることで、光ピックアップ１０２の読み取り位置を光ディスク１０１の半径位置情報記録部２０１が通過することによって、光ピックアップ１０２のトラバース方向の現在位置を特定することができ、これに基づいて光ディスク１０１の可視情報記録面２０２に、レーザ光線のパワーの強弱の制御によって物理変化の発生した部分と発生していない部分が形成され、光ディスク記録再生装置１１２の単独でも、その反射率の違いにより可視画像をレーベル面に記録できる。
【００５６】
なお、レーベル面としての可視情報記録面２０２における半径位置情報記録部２０１は細い線状で、その占める面積は極僅かである。可視情報記録層２０７への記録時に、半径位置情報記録部２０１の位置がレーベル面に展開された可視画像の読み取りをできるだけ妨げないように、光ディスク１０１の周方向の記録開始位置を、ホストコンピュータ１１１またはＣＰＵ１１０によって自動制御するようにソフトウエアを構築しておくことによって、より良好な記録結果を期待できる。
【００５７】
また、半径位置によって同一の回転角あたりの領域の面積は大きくなるためそのまま、可視画像を記録したのでは外周に近づくに従って広がった画像情報になるため補正が必要であるが、この補正動作はホストコンピュータ１１１の側で行って予め補正された可視画像情報を光ディスク記録再生装置１１２に送信する方法と、光ディスク記録再生装置１１２の側で半径位置毎に回転位置情報の分解能を変化させて補正を行い、記録する方法が考えられ、前者の方法では光ディスク記録再生装置１１２の側の変更が少なくてよい。
【００５８】
なお、本実施の形態はＣＤ−ＲＯＭディスクのデータ面とは逆側の表面に可視情報記録層２０７を設ける場合を例に説明したが、記録可能なＣＤ−Ｒ／ＲＷ規格のディスクでも同様に実施可能である。
【００５９】
上記の各実施の形態では、可視情報記録層２０７の下に反射層２０６が配置されており、半径位置情報記録部２０１は可視情報記録層２０７の欠陥によりストライプパターンを形成し、可視情報記録層２０７が欠陥しているストライプパターンの部分だけ反射率が可視情報記録層２０７よりも高くなる場合を例に挙げて説明したが、図４に示すように反射層２０６の上に可視情報記録層２０７よりも反射率が低い反射層２０８を形成した場合には、これを使用する光ディスク記録再生装置１１２は、可視情報記録層２０７が欠陥しているストライプパターンの部分だけ反射率が可視情報記録層２０７よりも低くなるストライプパターンを認識するように構成することによって、可視画像を可視情報記録層２０７に記録することができる。
【００６０】
また、本実施の形態では可視情報記録面２０２では、可視情報記録層２０７が表面に露出して形成されている場合を例に説明したが、図５に示すように可視情報記録層２０７の上側に透明の薄い保護層４０１を設けた場合でも同様に実施可能である。さらに詳しくは、保護層４０１は、図５（ａ）に示すようにパターンデータを形成する可視情報記録層２０７の欠陥部分を埋める形で形成されていてもよく、または図５（ｂ）に示すように可視情報記録層２０７を保護層４０１とともに除去した欠陥部分を形成しても同様に実施可能である。
【００６１】
上記の各実施の形態の半径位置情報記録部２０１は、可視情報記録層２０７の下に反射層２０６または反射層２０６とは別に可視情報記録層２０７よりも反射率が低い反射層２０８を形成して半径位置情報のストライプパターンを形成したが、図６（ａ）に示すように可視情報記録層２０７の上に可視情報記録層２０７よりも反射率が高い反射層２０９を形成した場合には、これを使用する光ディスク記録再生装置１１２は、反射率が可視情報記録層２０７よりも高くなるストライプパターンを認識するように構成することによって、可視画像を可視情報記録層２０７に記録することができる。
【００６２】
上記の各実施の形態の半径位置情報記録部２０１は、可視情報記録層２０７の下に反射層２０６または反射層２０６とは別に可視情報記録層２０７よりも反射率が低い反射層２０８を形成して半径位置情報のストライプパターンを形成したが、図６（ｂ）に示すように可視情報記録層２０７の上に可視情報記録層２０７よりも反射率が低い反射層２０８を形成した場合には、これを使用する光ディスク記録再生装置１１２は、反射率が可視情報記録層２０７よりも低くなるストライプパターンを認識するように構成することによって、可視画像を可視情報記録層２０７に記録することができる。
【００６３】
（実施の形態２）
図７は（実施の形態２）を示す。（実施の形態１）ではＣＤ規格のディスクに可視情報を記録する場合を例に説明したが、ＤＶＤ−ＲＯＭ／Ｒ／ＲＷ、ＤＶＤ＋Ｒ／ＲＷ、ＤＶＤ−ＲＡＭなどのＤＶＤ規格のディスクでも同様に実施可能である。
【００６４】
具体的には、ＤＶＤ規格のディスクは両面貼り合わせ型のディスクであるので、図７（ａ）の様にデジタル情報記録面２０３の反対側のダミーディスク５０１の表面に反射層５０３と可視情報記録層２０７を形成することによっても実現できる。もちろん、先に述べた可視情報記録層２０７の上側に保護層４０１を設けても構成できる。
【００６５】
あるいは、図７（ｂ）の様にダミーディスク側の基材の内側に、デジタル情報記録面２０３と同様の位置で反射層５０２と可視情報記録層２０７を形成することによっても同様に実施可能である。
【００６６】
上記の各実施の形態では、可視情報記録層２０７の下に可視情報記録層２０７よりも高反射率の反射層２０６または５０３を形成する場合を例に説明したが、反射層２０６の上に可視情報記録層２０７よりも低反射率の低反射層を設け、半径位置情報記録部２０１における前記可視情報記録層２０７の欠損部分を、可視情報記録層２０７よりも低反射率にして半径位置情報としてのストライプパターンを記録しても同様に実施可能である。これを使用する光ディスク記録再生装置１１２は、可視情報記録層２０７が欠陥しているストライプパターンの部分だけ反射率が可視情報記録層２０７よりも低くなるストライプパターンを認識するように構成することによって、可視画像を可視情報記録層２０７に記録することができる。
【００６７】
また、本実施の形態では、可視情報記録層２０７の下に反射層５０２を設けて、可視情報記録層２０７の欠陥により半径位置情報を形成する場合を例に説明したが、可視情報記録層２０７の上側に可視情報記録層２０７よりも高反射率又は低反射率の領域を形成しても同様に実施可能である。
【００６８】
（実施の形態３）
図８は本発明の（実施の形態３）の光ディスクの要部を示し、図１に示した光ディスクとは、半径位置情報記録部２０１における半径位置情報のパターンが異なっている。その他は（実施の形態１）と同じである。
【００６９】
詳しくは、図１（ｃ）では“第０領域Ａｄ０”“第１領域Ａｄ１”“第２領域Ａｄ２”“第３領域Ａｄ３”・・・・を光ディスクの半径方向に隙間無く設けたが、図２では半径位置情報記録部２０１の前記半径方向に隣接する半径位置情報の間に内周側の半径位置情報と外周側の半径位置情報を区別する半径位置情報分割領域８０１を備えている。ここでは、内周側の円弧状のストライプパターンと外周側の円弧状のストライプパターンの間に半径位置情報が書き込まれていない領域を形成して半径位置情報分割領域８０１を構成している。
【００７０】
この構成によると、光ディスク１０１に反りなどの歪みがない場合には光ピックアップ１０２は仮想線で示す軌跡８０２で示すように、光ディスクが１回転するごとに各領域だけがトレースして半径位置情報を正常に読み取って半径位置を判別することができるが、光ディスクに反りなどの歪みがない場合には軌跡８０３で示すように、隣接する領域を跨いで光ピックアップ１０２がトレースしてしまう場合がある。
【００７１】
この場合、図１（ｃ）に示したストライプパターンの場合には半径位置の誤判別のおそれがあるが、この（実施の形態３）のストライプパターンの場合には隣接する領域を跨いで光ピックアップ１０２がトレースした場合には、途中で半径位置情報分割領域８０１を読み取るため、パターンデータの最小間隔に応じて半径位置情報分割領域８０１の間隔などを設定することによって半径位置の誤判別を解消することができる。この図８に示すように光ピックアップ１０２のトレースが“第１領域Ａｄ１”から“第２領域Ａｄ２”に跨った場合には、半径位置の補正制御を行って可視情報を記録するように光ディスク記録再生装置を構成することによって、可視情報記録層２０７への良好な画像の記録を実行できる。
【００７２】
なお、この半径位置情報分割領域８０１が形成された光ディスク１０１を取り扱う光ディスク記録再生装置１１２では、光ピックアップ１０２が読み取った内容に基づいて半径位置情報分割領域８０１を通過したことを検出する半径位置情報分割領域通過検出部は、信号処理回路１０９の内部に構成されている。
【００７３】
前記半径位置情報分割領域８０１を通過していないときの光ピックアップ１０２の読み取り内容より光ディスク１０１の半径位置における光ピックアップ１０２の現在位置を検出する半径位置情報検出部ならびに、可視情報記録層２０７に書き込むべき可視情報のデータを前記検出した現在位置に応じて読み出して前記光ピックアップ１０２から前記可視情報記録層２０７に照射されるレーザ光パワーを制御して可視情報を書き込む可視情報記録制御部は、ＣＰＵ１１０と信号処理回路１０９で構成されている。
【００７４】
なお、半径位置情報分割領域８０１の具体例としては、図１（ｂ）に示すように前記可視情報記録層２０７の下層に可視情報記録層２０７よりも反射率の高い反射層２０６を備えて可視情報記録層２０７の欠損によって半径位置情報のストライプパターンを記録した場合には、可視情報記録層２０７の欠陥により半径位置情報分割領域８０１を形成できる。
【００７５】
また、図４に示すように可視情報記録層２０７の下層で反射層２０６の上に可視情報記録層２０７よりも反射率の低い低反射層２０８を設けて可視情報記録層２０７の欠損によって半径位置情報のストライプパターンを記録した場合にも、可視情報記録層２０７の欠陥により半径位置情報分割領域８０１を形成することもできる。
【００７６】
また、図６（ａ）に示すように可視情報記録層２０７の可視情報記録層２０７の上側に可視情報記録層２０７よりも高反射率の反射層２０９を形成して半径位置情報のストライプパターンを記録した場合には、反射層２０９により半径位置情報分割領域８０１を形成することもできる。
【００７７】
また、図６（ｂ）に示すように可視情報記録層２０７の可視情報記録層２０７の上側に可視情報記録層２０７よりも低反射率の反射層２０８を形成して半径位置情報のストライプパターンを記録した場合には、反射層２０８により半径位置情報分割領域８０１を形成することもできる。
【００７８】
（実施の形態４）
図９と図１０は本発明の（実施の形態４）を示し、光ディスク１０１の前記半径位置情報記録部２０１のデータの具体例を示している。
【００７９】
半径位置情報記録部２０１の各領域のストライプパターンは、図９に示すように固定長固定パターンのヘッダ部９０１と、固定長の半径位置情報本体部９０２とからなり、半径位置情報本体部９０２がヘッダ部９０１に挟まれる形で交互に連続して複数回記録されている。具体的には、図１０に示すように半径位置情報本体部９０２の“０００００１”の第１領域Ａｄ１の位置情報が、“１０１０１１”のヘッダ部９０１によって前後を挟まれて記録されている。
【００８０】
このように構成したため、光ピックアップ１０２の読み取り位置を光ディスク１０１の半径位置情報記録部２０１を通過すると、光ディスク１０１に反りなどによる偏心が無い場合には、有効なヘッダ部９０１に挟まれた半径位置情報本体部９０２を読み取って、これを有効な半径位置情報として採用することにより、半径位置制御を行って可視情報を可視情報層１０７に記録することが可能である。
【００８１】
ディスク穴のセンターずれ、ターンテーブルのセンターずれ、ターンテーブルへの装着状態により光ディスク１０１に偏心があって半径位置情報間の横断が発生した場合、有効なヘッダ部９０１に挟まれた半径位置情報が正規のデータ長とならず、半径位置情報本体部９０２を読み取れない。この場合ＣＰＵ１１０が、読み取れない半径位置情報本体部９０２の半径位置情報全体の中の位置を判断して、トラッキング駆動回路１０４、トラバース駆動回路１０５を動作させて、半径位置を補正することによって可視情報の誤った半径位置への記録を防止できる。
【００８２】
具体例を挙げて説明する。
たとえば、半径位置情報記録部２０１の半径位置情報として光ディスク１０１の内周から図１０に示すように第１領域Ａｄ１，第２領域Ａｄ２，第３領域Ａｄ３，・・・・には半径位置情報の「アドレス１」「アドレス２」「アドレス３」・・・が光ディスク１０１の外周に向かって順に並んでいる。そしてヘッダ情報に挟まれて半径位置情報記録部に４回繰り返して記録されているとする。なお、説明の為にヘッダには番号を付けたが、実際のヘッダのストライプパターンは前記したとおり固定長固定パターンであるので同一である。
【００８３】
ここで、可視情報記録層２０７の内で「アドレス１」で指定された第１領域Ａｄ１に可視情報を記録した後、「アドレス２」で指定された第２領域Ａｄ２に可視情報を記録したい場合、光ディスク１０１に偏心などが無く、第２領域Ａｄ２の中央付近を光ピックアップ１０２のレーザ光が通過する場合には、
「ヘッダ０」「アドレス２」 「ヘッダ１」「アドレス２」「ヘッダ２」「アドレス２」 「ヘッダ３」「アドレス２」 「ヘッダ４」
の順に検出されるが、偏心などにより半径位置情報分割領域を通過する場合には、たとえば、下記の（例１）に示すように
（例１）
「ヘッダ０」「アドレス２」「ヘッダ１」「アドレス２」「ヘッダ２」
「アドレス２」「不正データ」「アドレス３」「ヘッダ４」
の様になる。この例では 「ヘッダ３」の位置で半径位置情報分割領域８０１を通過して 「ヘッダ３」のストライプパターンが、正規のヘッダパターンと異なるものになっているため、正常にヘッダデータを検出できない。最後の「ヘッダ４」が検出できる為、「アドレス３」は検出可能である。
【００８４】
この場合は、「アドレス２」「アドレス３」に跨っているが、「アドレス２」側に寄っていると判断して、そのまま「アドレス２」の第２領域Ａｄ２に書き込むべき、可視画像情報を記録するようにＣＰＵ１１０における可視情報記録処理ルーチンを構成する場合と、トラッキング駆動系１１６に内周方向に電圧を印加して「アドレス２」側に光ピックアップ１０２を微少にずらし、「アドレス２」の中央付近を通過したストライプパターンである「ヘッダ０」「アドレス２」「ヘッダ１」「アドレス２」「ヘッダ２」「アドレス２」「ヘッダ３」「アドレス２」「ヘッダ４」が得られた時点で、「アドレス２」の第２領域Ａｄ２に書き込むべき可視画像情報を記録するようにＣＰＵ１１０における可視情報記録処理ルーチンを構成する場合と、トラッキング駆動系１１６に光ピックアップ１０２のレーザ光を内周方向に移動させる規定の電圧を予め決めておいて、電圧を印加したのち半径位置情報を再確認せずに、即座に可視画像情報を記録するようにＣＰＵ１１０における可視情報記録処理ルーチンを構成する場合とがあり、いずれを選択するかは可視情報記録の半径方向の所望の精度と、可視情報記録にかかる時間の許容値から判断して予め選択しておけばよい。
【００８５】
（例２）
「ヘッダ０」「アドレス２」「ヘッダ１」「不正データ」「ヘッダ２」「アドレス３」「ヘッダ３」「アドレス３」「ヘッダ４」
または、
「ヘッダ０」「アドレス２」「ヘッダ１」「アドレス２」「不正データ」「アドレス３」「ヘッダ３」「アドレス３」「ヘッダ４」
や、
「ヘッダ０」「アドレス２」「ヘッダ１」「アドレス２」「不正データ」「不正データ」「ヘッダ３」「アドレス３」「ヘッダ４」
の様に、半径位置情報のうち中央付近で不正データが検出された場合には、「アドレス２」「アドレス３」の中間付近に光ピックアップ１０２のレーザ光があると考えられる。この様な場合には、トラッキング駆動系１１６に内周方向に電圧を印加して「アドレス２」側に光ピックアップ１０２のレーザ光の位置を微少にずらし、「アドレス２」の中央付近を通過したストライプパターンである「ヘッダ０」「アドレス２」「ヘッダ１」「アドレス２」「ヘッダ２」「アドレス２」「ヘッダ３」「アドレス２」「ヘッダ４」が得られた時点で、「アドレス２」の第２領域Ａｄ２に書き込むべき可視画像情報を記録するようにＣＰＵ１１０における可視情報記録処理ルーチンを構成する場合と、規定の電圧を予め決めておいて、電圧を印加したのち半径位置情報を再確認せずに、即座に可視画像情報を記録するようにＣＰＵ１１０における可視情報記録処理ルーチンを構成する場合があり、例１と同様にいずれを選択するかは可視情報記録の半径方向の所望の精度と、可視情報記録にかかる時間の許容値から判断して予め選択しておけばよい。
【００８６】
（例３）
「ヘッダ０」「アドレス２」「ヘッダ１」「アドレス２」「ヘッダ２」「アドレス２」「ヘッダ３」「不正データ」「ヘッダ４」
または
「ヘッダ０」「アドレス２」「ヘッダ１」「アドレス２」「ヘッダ２」「アドレス２」「ヘッダ３」「アドレス２」「不正データ」
の様に複数回記録された半径位置情報の端で不正データが検出された場合には、「アドレス２」から、内周（アドレス１）、外周（アドレス３）のどちら側に偏っているのか分からない。この様な場合には、「アドレス２」の端だが「アドレス２」上にあると判断して、そのまま「アドレス２」に書き込むべき可視画像情報を記録するようにＣＰＵ１１０における可視情報記録処理ルーチンを構成する場合と、トラッキング駆動系１１６に内周、または外周方向に電圧を印加して、内周または外周側に微少にずらし、再度ストライプパターンを検出して（例１）、または（例２）の様な検出パターンを得た後に同様の処理を実行するようにＣＰＵ１１０における可視情報記録処理ルーチンを構成する場合があり、例１と同様にいずれを選択するかは可視情報記録の半径方向の所望の精度と、可視情報記録にかかる時間の許容値から判断して予め選択しておけばよい。
【００８７】
なお、光ディスク１０１の半径位置情報本体部のストライプパターンは、固定長固定パターンのヘッダ部９０１の前後に接続されたときに、半径位置情報本体部を含むどのストライプパターンもヘッダ情報と一致するストライプパターンとならない様に予め決められている。具体的には、“１０１０１１”のヘッダを使用した場合には、半径位置情報本体が“００１０１０１”になる位置では下線Ｂで示すようにヘッダと一致するコードが発生するので、光ディスク１０１の作成時には半径位置情報本体が“００１０１０１”を設けずに構成されている。この半径位置情報本体に“００１０１０１”を設けずに構成された光ディスク１０１の可視情報記録層２０７に可視情報を書き込む光ディスク記録再生装置１１２は、“００１０１０１”を飛ばして半径位置を認識するように構成する。この他にも、図１１に囲みＦで示す個所でもヘッダとの一致が発生するので、このような個所についてもその順番の半径位置情報のストライプパターンを設けずに構成される。
【００８８】
また、半径位置情報本体部のストライプパターンは、固定長固定パターンのヘッダ部の長さよりも短く、半径位置情報本体部のストライプパターンは、前記固定長固定パターンのヘッダ部の前後に接続されたとき、前記半径位置情報本体部を含むどのストライプパターンも、前記固定長固定パターンのヘッダ情報と一致するストライプパターンとならない様にヘッダ部の固定長固定パターンを選択して光ディスク１０１を作成する必要がある。
【００８９】
具体的には、図１２（ａ）に示すように“１０１０１１”のヘッダを使用した場合には、半径位置情報本体部のストライプパターンが“０１０１”になった場合にヘッダとの一致が発生するので、ヘッダ部の固定長固定パターンを選択して図１２（ｂ）に示すように、例えば“０１０００１１０”のヘッダを使用して光ディスク１０１を作成する必要がある。
【００９０】
なお、読み取った半径位置情報の出力より固定長固定パターンのヘッダ部を検出するヘッダ検出部は、信号処理回路１０９に構成されている。また、ヘッダ部検出手部の検出結果と読み取った半径位置情報より、前記ヘッダ部に挟まれたストライプパターンのデータ長が前記固定長の半径位置情報本体部のデータ長と一致するかどうかにより前記半径位置情報分割領域を通過したことを検出する半径位置情報分割領域通過検出部も、ＣＰＵ１１０と信号処理回路１０９とで構成されている。
【００９１】
（実施の形態５）
上記の（例１）〜（例３）を応用して、同一アドレス情報を検出する半径位置情報上の更に細かな位置情報を検出して、可視画像の半径位置精度を向上させることができる。
【００９２】
たとえば、半径位置情報分割領域８０１を横切ったことを検出する半径位置情報分割領域通過検出部を図２の信号処理回路１０９によって構成する。そして、
「ヘッダ０」「アドレス２」「ヘッダ１」「アドレス２」「ヘッダ３」「アドレス２」「ヘッダ４」
を検出したら、「アドレス２」の中間付近に光ピックアップ１０２のレーザ光があると考えられる（例２）、
「ヘッダ０」「アドレス２」「ヘッダ１」「不正データ」「ヘッダ２」「アドレス３」「ヘッダ３」「アドレス３」「ヘッダ４」
または、
「ヘッダ０」「アドレス２」「ヘッダ１」「アドレス２」「不正データ」「アドレス３」「ヘッダ３」「アドレス３」「ヘッダ４」
や、
「ヘッダ０」「アドレス２」「ヘッダ１」「アドレス２」「不正データ」「不正データ」「ヘッダ３」「アドレス３」「ヘッダ４」
を検出した場合は、「アドレス２」と「アドレス３」の中間、
「ヘッダ０」「アドレス３」「ヘッダ１」「アドレス３」「ヘッダ２」「アドレス３」「ヘッダ３」「アドレス３」「ヘッダ４」
を検出したら「アドレス３」の中央に位置している、といった様に順次該当する半径アドレス位置に対応する可視画像情報を記録すればより高い半径方向の密度で可視画像を記録できる。
【００９３】
この時も同様に、記録したいアドレス位置と異なるアドレス情報を検出した場合には、記録したいアドレス位置情報が得られるまで微少に半径位置をずらしてアドレス情報の検出を繰り返すように構成する場合と、ずれ量に応じた規定の電圧をトラッキングコイルに印加したのち、アドレス情報を検出せずに即座に可視画像情報を記録するように構成する場合の何れでも実施できる。
【産業上の利用可能性】
【００９４】
本発明は、通常の光ディスクの様な螺旋状または同心円状のトラックを持たない可視情報記録層に可視画像を記録する際に、特別なハードウエアを追加することなく、半径及び円周上の位置を特定して所望の可視画像を記録することができる、光ディスク及び、光ディスク記録再生装置及び、光ディスク記録再生装置の可視画像記録半径位置制御方法に有効である。
【図面の簡単な説明】
【００９５】
【図１】本発明の（実施の形態１）の光ディスクの外観斜視図と断面図と要部拡大図
【図２】同実施の形態の光ディスクに可視情報を書き込む光ディスク記録再生装置の構成図
【図３】図２の要部の信号波形図
【図４】同実施の形態の光ディスクの別の構造を示す断面図
【図５】同実施の形態の光ディスクの別の構造を示す断面図
【図６】同実施の形態の光ディスクの別の構造を示す断面図
【図７】本発明の（実施の形態２）の光ディスクの断面図
【図８】本発明の（実施の形態３）の光ディスクの半径位置情報記録部の説明図
【図９】本発明の（実施の形態４）の光ディスクの半径位置情報記録部の説明図
【図１０】同実施の形態の具体例の説明図
【図１１】同実施の形態の具体例の説明図
【図１２】同実施の形態の具体例の説明図
【符号の説明】
【００９６】
２０１    半径位置情報記録部
２０２    可視情報記録面
２０３    デジタル情報記録面
２０４    透明基板
２０５    記録層
２０６    反射層
２０７    可視情報記録層
８０１    半径位置情報分割領域
９０１    ヘッダ部
９０２    半径位置情報本体部
１０１    光ディスク
１０２    光ピックアップ
１０４    トラッキング駆動回路
１０５    トラバース駆動回路
１０６    スピンドルモータ
１０７    スピンドルドライバ
１０８    再生信号処理回路
１０９    信号処理回路
１１０    ＣＰＵ
１１３    半導体レーザーダイオード
１１４    対物レンズ
１１５    フォーカス駆動系
１１６    トラッキング駆動系
１１７    フォトセンサ
１１８    直流モータ
【図１】
2005317057.tif 000003
【図２】
2005317057.tif 000004
【図３】
2005317057.tif 000005
【図４】
2005317057.tif 000006
【図５】
2005317057.tif 000007
【図６】
2005317057.tif 000008
【図７】
2005317057.tif 000009
【図８】
2005317057.tif 000010
【図９】
2005317057.tif 000011
【図１０】
2005317057.tif 000012
【図１１】
2005317057.tif 000013
【図１２】
2005317057.tif 000014